(57)【要約】【課題】  ディスク状の記憶媒体の表面に対して充分な情報をプリントする。【解決手段】  ディスク状の記憶媒体に画像ファイルを書き込む書込ユニット２０Ｗと、記憶媒体の表面に対して情報をプリントするプリントユニット２０Ｐとを備え、書込ユニット２０Ｗで書き込むファイル名を２次元バーコード化部３９において２次元バーコードのイメージに変換し、サムネイル画像と、広告用のロゴと共に記憶媒体の表面にプリントする。【選択図】        図５
2005234654.tif 000002
【特許請求の範囲】
【請求項１】
ディスク状の記憶媒体の表面、又は、この表面に貼付されるレーベルに対して情報をプリントするプリントヘッドを備えているプリントシステムであって、
文書化された情報を２次元バーコードに変換するコード化部と、このコード化部で２次元バーコードに変換されたイメージを前記プリントヘッドに出力するプリント処理部とを備えているプリントシステム。
【発明の詳細な説明】
【技術分野】
【０００１】
本発明は、ディスク状の記憶媒体の表面、又は、この表面に貼付されるレーベルに対して情報をプリントするプリントヘッドを備えているプリント装置に関する。
【背景技術】
【０００２】
上記のように構成されたプリント装置と関連する技術として特許文献１に記載されるものが存在する。つまり、特許文献１では、ＣＤ−Ｒ書き込み装置として、スキャナー印刷部を備えており、スキャナー印刷部にはプリントヘッドと、スキャナーヘッドとを一体化したヘッドユニットを備えており、このヘッドユニットでＣＤ−Ｒのレーベル面に印刷を行う場合には、トレイにＣＤ−Ｒを載置した状態において、ヘッドユニットを往復作動させることにより１ラインごと又は所定ラインごとに印刷を行うものとなっている。前記プリントヘッドとしてインクジェット方式や熱転写方式が想定されている。また、この印刷装置では、スキャナー装置によって読み取られた画像データを画像メモリに保存し、この画像データをファイル形式でＣＤ−Ｒに書き込む処理を行うと共に、この画像データから作成したインデックス画像をＣＤ−Ｒのレーベル面に印刷できるものであり、また、このレーベル面に対してラボ店独自の画像（オリジナル画像）も印刷することや、既に印刷を行ったレーベル面に対して追加画像の印刷を行えるようにも構成されている。
【０００３】
【特許文献１】特開２００３‐１８７３号公報  （段落番号〔００１８〕〜〔００３１〕、図２、図３）
【発明の開示】
【発明が解決しようとする課題】
【０００４】
特許文献１のようにＣＤ−Ｒのレーベル面にプリント（印刷）される情報について考えると、この情報は特許文献１に記載されるように、そのＣＤ−Ｒに保存されている情報の内容を示す画像や、インデックスとして任意に入力された文字や文章が一般的である。しかしながら、ディスク状の記憶媒体としてＤＶＤ−Ｒを想定した場合には、記憶容量が大きいものの、レーベル面の面積は限られたサイズであるため、ＤＶＤ−Ｒに保存されている情報の全てを示すインデックスをレーベル面にプリントする場合には充分な大きさの画像のプリントを行えず、これと同様の理由から、大きい文字で情報をプリントできないことが想定できる。
【０００５】
このような不都合はＤＶＤ−Ｒだけに限るものではなく、ＣＤ−Ｒの場合でも多くのファイルを保存した場合に現れる現象であり、改善が望まれている。
【０００６】
本発明の目的は、ディスク状の記憶媒体のレーベル面に対して充分な情報をプリントし得るプリント装置を合理的に構成する点にある。
【課題を解決するための手段】
【０００７】
本発明の特徴は、ディスク状の記憶媒体の表面、又は、この表面に貼付されるレーベルに対して情報をプリントするプリントヘッドを備えているプリント装置において、文書化された情報を２次元バーコードに変換するコード化部と、このコード化部で２次元バーコードに変換されたイメージを前記プリントヘッドに出力するプリント処理部とを備えている点にある。
【０００８】
この構成により、情報の入力部から入力した情報を、コード化部で２次元バーコードに変換し、その２次元バーコードのイメージをプリント処理部がディスク状の記憶媒体の表面、又は、この表面に貼付されるレーベルに対してプリントする。その結果、限られた面積に充分な情報量を情報のプリントが可能となり、例えば、２次元バーコードの情報を読み取ることが可能な携帯電話機や、バーコードリーダで記憶媒体Ｍの表面にプリントされた２次元バーコードの情報を読み取ることにより、記憶媒体に関連する必要な情報を得ることが可能となるのである。
【発明を実施するための最良の形態】
【０００９】
以下、本発明の実施形態を図面に基づいて説明する。
〔全体構成〕図１に示すように、現像済みの写真フィルムＦの画像情報のデジタル信号化処理を行い、デジタル信号化された画像情報の処理を行い、システム全体の基本的な制御を行うオペレート部Ａを備えると共に、プリント媒体としての銀塩式のカラー印画紙Ｐ（以下、印画紙Ｐと略称する）に対して露光処理と現像処理とを行い、かつ、乾燥処理を行った後に送り出すプリント機構としてのプリント部Ｂを備えてデジタルミニラボと称せられるプリント装置が構成されている。
【００１０】
〔オペレート部〕前記オペレート部Ａは、デスク部１に対して写真フィルムＦのコマ画像を光電変換してデジタル信号化された画像情報として取り込むフィルムスキャナ２と、各種情報を表示するディスプレイ３と、画像処理と各種処理とを実現するよう汎用コンピュータで成る処理装置４とを配置し、デスク部１の上面に情報を入力するためのキーボード５と、マウス６とを備え、更に、ＣＤ−ＲやＤＶＤ−Ｒ等のディスク状の記憶媒体Ｍに対して情報を保存すると共に、この記憶媒体Ｍの表面に対して情報をプリントするディスク処理装置Ｄを備えている。尚、ディスク処理装置Ｄと前記処理装置４とによってディスク状の記憶媒体Ｍの表面に対して情報をプリントするプリントシステムが構成されている。
【００１１】
前記処理装置４は、上部にＣＤやＭＯやＦＤ等のディスク型の記憶媒体からの情報を取得する、あるいは、半導体型の記憶媒体からの情報を取得するよう記憶媒体の構造に対応したメディアドライブ７を備え、内部に情報を保存する半導体メモリやハードディスク等（図４を参照）を備えている。
【００１２】
前記フィルムスキャナ２は、下部に発光ダイオードやハロゲンランプ等を有した光源部を配置し、中間部にズームレンズを配置し、上部にズームレンズからの画像情報をＲ（赤）、Ｇ（緑）、Ｂ（青）三原色に色分解して取り込むラインＣＣＤ型の光電変換部を備えている。そして、スキャニングを行う場合には、写真フィルムＦのサイズに適合したフィルムキャリア８を光源部の上面に装着して、写真フィルムＦを副走査方向（長手方向）に搬送する作動と同期して光電変換部において写真フィルムＦの画像情報を主走査方向に沿ってデジタル信号化して取り込む処理が行われる。
【００１３】
前記ディスク処理装置Ｄは、図２及び図３に示すように、本体２０の上部に配置したプリントユニット２０Ｐと、本体２０の中間部に配置した書込ユニット２０Ｗと、下部に配置した集積ユニット２０Ｃと、この集積ユニット２０Ｃに対してＣＤ−ＲやＤＶＤ−Ｒ等のディスク型の記憶媒体Ｍを給排するピッカー２１とを備えている。
【００１４】
前記プリントユニット２０Ｐは、出退作動自在なトレイ２５と、このトレイ２５に載置された記憶媒体Ｍの表面（レーベル面）に情報をプリントするようガイドロッド２６沿って往復移動自在なインクジェット型のプリントヘッド２７を備えている。前記書込ユニット２０Ｗは、出退作動自在なトレイ２８と、このトレイ２８に載置された記憶媒体Ｍに対して情報を書き込む書込ヘッド（図示せず）とを備えて構成され、前記集積ユニット２０Ｃは、未処理ディスク集積部２９と、処理済ディスク集積部３０とを備えている。前記ピッカー２１は記憶媒体Ｍを挟持する状態と、挟持を解除する状態とに切り換え自在に構成されると共に、縦姿勢のガイド部２２に沿って昇降自在、かつ、縦向き姿勢の軸芯周りで該ピッカー２１の先端部を揺動できるように構成されている。
【００１５】
このようにディスク処理装置Ｄが構成されているので、記憶媒体Ｍの処理を行う際には、前記集積ユニット２０Ｃの未処理ディスク集積部２９にセットされた未処理の記憶媒体Ｍをピッカー２１が挟持して前記プリントユニット２０Ｐのトレイ２５に供給し、次に、図３に示すように、このプリントユニット２０Ｐにおいて前記プリントヘッド２７を往復作動させながら（この作動方向が主走査方向）記憶媒体Ｍの表面（レーベル面）にインクを吹き付け、このプリントヘッド２７が作動端に達する毎にトレイ２５を内方（又は外方）に移動させる（この作動方向が副走査方向）ことにより、記憶媒体Ｍの全面に対して必要とする情報のプリントを行い、乾燥を行う。この後に、プリントされた記憶媒体Ｍをピッカー２１で挟持して書込ユニット２０Ｗのトレイ２８に供給して情報の書き込みを行う。このようにプリントと書き込みとが終了した記憶媒体Ｍは再びピッカー２１で挟持され、このピッカー２１を縦向き姿勢の軸芯周りで揺動させることにより、前記集積ユニット２０Ｃの処理済ディスク集積部３０の上方から下方に送り込む形態で、この処理済ディスク集積部３０に集積される。尚、以上の処理順序ではプリントを行った後に書き込みを行っていたが、この処理順序は逆であっても良い。
【００１６】
〔プリント部〕前記プリント部Ｂは、印画紙Ｐに対して露光を行う露光ブロックＥｘと、露光された印画紙Ｐの現像処理を行う現像ブロックＤｅと、現像処理後の印画紙Ｐを乾燥する乾燥ブロックＤｒとを筐体１０に収納して成ると共に、筐体１０の外部には、処理の後に筐体１０の上部から水平方向に送り出される印画紙Ｐを搬送する搬送ベルト１１を備え、この搬送ベルト１１から送られる印画紙Ｐをオーダ単位で仕分けて集積するよう複数のトレイ１２を有したソータ１３を備え、更に、搬送ベルト１１の下方位置には大きいサイズの印画紙Ｐを受け止めるラック１４を備えている。
【００１７】
前記露光ブロックＥｘは、Ｒ（赤）、Ｇ（緑）、Ｂ（青）の三原色のレーザ光源からの光線を音響光学式の変調手段によって光量を調節した後、縦軸芯で回転するポリゴンミラーのミラー面で反射させることにより主走査方向に走査する形態で露光位置の印画紙Ｐに対して送り出すレーザ走査型のものを使用しているが、ＰＬＺＴ方式蛍光ビーム方式、液晶シャッター方式、ＤＭＤ方式又はＦＯＣＲＴ等の使用が可能である。
【００１８】
〔制御系〕図４に示すように前記処理装置４の制御系が構成されている。つまり、マイクロプロセッサＣＰＵのデータバスに対して半導体メモリＲＡＭ／ＲＯＭ、ハードディスクＨＤ、前記メディアドライブ７夫々を接続し、このデータバスに対して入出力インタフェースＩ／Ｏを介して前記フィルムスキャナ２を接続し、更に、前記データバスに対して前記ディスプレイ３、キーボード５、マウス６、及び、通信インタフェース３１を接続している。また、この処理装置４では、ディスプレイ３に表示された情報に従って各種の処理を前記キーボード５やマウス６の操作により実現するよう、ソフトウエアで成るオペレーティングシステム３２と、オーダ実行手段３３と、補正手段３４と、ディスク処理手段ＤＳとが前記データバスを介してＣＰＵに対して情報をアクセスできるように接続されている。
【００１９】
前記オペレーディングシステム３２は、ソフトウエアによって半導体メモリＲＡＭに作業領域を確保して必要とする処理を実現すると共に、処理状態を前記ディスプレイ３に表示した状態においてキーボード５やマウス６等からの操作により各種の処理を実現するインタフェースとして機能するものであり、前記オーダ実行手段３３はオーダ情報に基づいてプリント対象と設定された画像情報のプリントを実現し、前記補正手段３４はディスプレイ３に対して画像イメージを表示した状態で色調やコントラスト等の補正処理を実現するものである。
【００２０】
前記ディスク処理手段ＤＳは、圧縮処理部３５と、ファイル処理部３６と、書込処理部３７と、ファイル名抽出部３８と、２次元バーコード化部３９（コード化部の一例）と、サムネイル処理部４０イメージ処理部４１と、プリント処理部４２とで構成されている（これらによる処理形態は後述する）。
【００２１】
尚、前記オペレーティングシステム３２と、オーダ実行手段３３と、補正手段３４と、ディスク処理手段ＤＳとはソフトウエアだけで構成せず、ハードウエアで構成することや、ハードウエアとの組み合わせで構成することも可能である。
【００２２】
本発明は、前記フィルムスキャナ２や前記メディアドライブ７を介して取得した画像情報を前記プリント部Ｂにおいてプリントする処理の他に、前記フィルムスキャナ２や前記メディアドライブ７を介して取得した画像情報を前記ディスク処理装置Ｄを介して前記前記記憶媒体Ｍに対して書き込む処理と、この記憶媒体Ｍの表面に対して必要な情報を２次元バーコード化してプリントする点に特徴を有するものであり、その処理形態を以下に説明する。
【００２３】
図５に示すように、フィルムスキャナ２や前記メディアドライブ７を介して取得した画像情報は、情報保存部５０としての半導体メモリＲＡＭやハードディスクＨＤに保存された後、プリントサイズやプリント枚数のデータに基づき前記オーダ実行手段３３によって前記プリント部Ｂに伝送されプリント処理が実行される。尚、情報保存部５０に保存された画像情報はプリントサイズに最適な画素数に設定されたビットマップ形式である。
【００２４】
次に、前記情報保存部５０に保存された画像情報を、前記圧縮処理部３５において必要な画素数に変換した後にＪＰＥＧ形式（Joint Photographic Experts Groupが制定した形式）や、ＴＩＦＦ（Tag Image File Format ）形式に圧縮してファイル化して名称を付して半導体メモリＲＡＭやハードディスクＨＤに一時的に保存する。また、このように圧縮したファイルを削除することや、このファイルのファイル名を変更する等の編集処理をファイル処理部３６が編集情報に基づいて実現し、この後、前記書込処理部３７が前記ディスク処理装置Ｄの書込ユニット２０Ｗを介して記憶媒体Ｍにファイルを書き込む処理が実現する。
【００２５】
尚、前記圧縮処理部３５において画像情報を圧縮してファイル化する際には、画像データが保存されている順序に従う番号や符号がファイル名として付されるものである。前記編集情報は、例えば、マウス６の操作でファイルを指定し、キーボード５のキー操作によってファイル名を変更する等、前記キーボード５やマウス６の操作に基づいて生成されるものである。
【００２６】
次に、前記ファイル名抽出部３８が画像ファイルのファイル名を抽出し、このファイル名を、夫々のファイル名を識別可能なように夫々のファイル名同士の間にスペースやピリオドを挿入して文書（テキスト形式）化した後、前記２次元バーコード化部３９が２次元バーコードのイメージを生成し、また、この処理と並行してファイル処理部３６からの画像ファイルをサムネイル処理部４０がサムネイル画像を生成する。このように２次元バーコードのイメージとサムネイル画像とが生成された後には、これら２次元バーコードのイメージと、サムネイル画像と、ハードディスクＨＤの画像アーカイブ５１に保存されていたデフォルトイメージとをイメージ処理部４１が予め設定されたレイアウトで配置する。このレイアウトはディスプレイ３において確認することが可能であり、必要な場合には、レイアウトの変更や、任意に設定したイメージの追加等の編集処理を行った後に、前記プリント処理部４２が前記前記ディスク処理装置Ｄのプリントユニット２０Ｐを介して記憶媒体Ｍの表面にプリントする。
【００２７】
このプリント結果は、図７に示す如く２次元バーコードＢＣと、複数のサムネイル画像ＴＮと、デフォルトイメージとしてのＤＰ店を示すロゴＬがプリントされるのである。尚、本発明では、２次元バーコードＢＣとしてＱＲコードを用いることを想定したものであるが、データ・マトリクス形式やＰＤＦ４１７形式のように２次元的にコードデータを配置した構造の２次元バーコードを利用するよう構成しても良い。
【００２８】
以上の説明は情報の処理を主体にして、印画紙Ｐに対するプリント処理と併せて説明したものであるが、記憶媒体Ｍに対する処理は、必ずしも印画紙Ｐに対するプリント処理と併せて行う必要がないものである。つまり、デジタルカメラで使用された半導体メディアを専用の端末にセットして、その半導体メディアから取得した画像情報をファイル形式で記憶媒体Ｍに保存する処理を行い、この保存処理とともに、その記憶媒体Ｍの表面に対して保存された画像情報のインデックスに対応する情報２次元バーコードとして記憶媒体Ｍにプリントする処理を行うようシステムを構成しても良いのである。
【００２９】
また、オペレータが操作する場合には必要な情報がディスプレイ３に表示され、この表示に従ってキーボード５やマウス６を操作することにより記憶媒体Ｍに対してファイルを書き込む処理と、記憶媒体Ｍの表面に対してプリントを行う処理とが実現するものであり、これらの処理が行われる際の操作形態を図６のフローチャートのように表すことが可能である。
【００３０】
つまり、記憶媒体Ｍに書き込まれる画像ファイルの情報（サムネイル形式の画像とファイル名）の一覧がディスプレイ３に表示され、この表示に基づいて、オペレータは不要なファイルを削除することや、ファイル名を変更する編集が許容される（＃０１〜＃０３ステップ）。
【００３１】
次に、書き込むべきファイルが確定した後には、書き込むべきファイルの全てのファイル名をバーコード化対象として一覧化してディスプレイ３に表示し、この表示に基づいて不要なファイルを削除することや、ファイル名を変更する編集が許容される（＃０４〜＃０６ステップ）。
【００３２】
次に、バーコード化の対象が確定した後には、２次元バーコードのイメージと、サムネイル画像と、デフォルトイメージとを予め設定されたレイアウトでディスプレイ３に表示し、この表示に基づいて不要な画像のイメージを修正することや、イメージを追加する等の編集が許容される（＃０７〜＃０９ステップ）。
【００３３】
この後、プリントすべきイメージが確定した場合には、オペレータが必要な操作を行うことによって、記憶媒体Ｍに対する画像ファイルの書き込みと、記憶媒体Ｍの表面に対するプリント処理とが実行されるのである（＃１０ステップ）。
【００３４】
このように本発明によると、ＣＤ−ＲやＤＶＤ−Ｒのようにディスク型の記憶媒体Ｍに対して画像情報を保存する場合には、その記憶媒体Ｍに保存された画像情報の内容を把握可能なファイル名を２次元バーコードとしてプリントするので、保存されるファイル数が多い場合でも、２次元バーコードの情報を読み取ることが可能な携帯電話機で読み取り、その携帯電話機の液晶表示面に表示させることや、バーコードリーダで記憶媒体Ｍの表面にプリントされた２次元バーコードの情報を読み取りディスプレイ等に表示することにより、インデックスを読む場合と同様に記憶媒体Ｍに保存された画像情報の殆ど全ての内容を把握できるものとなっている。特に、記憶媒体Ｍの表面に対して２次元バーコードは多くの情報を比較的狭い面積にプリントすることが可能となるので、この２次元バーコードの他にＤＰ店等の情報を広告を広い面積にプリントできるので広告の効果を高めるものとなる。
【００３５】
〔別実施の形態〕
本発明は、上記した実施の形態以外に以下のように構成しても良い。
【００３６】
（イ）記憶媒体Ｍの表面に貼付する形態で使用されるレーベルに対して２次元バーコード化した情報をプリントするようシステムを構成する。
【００３７】
（ロ）記憶媒体Ｍに対して画像ファイルを追記する形態で書き込む際において、既にプリントされている２次元バーコードＢＣのプリント位置から離間した位置に２次元バーコードＢＣをプリントするよう、イメージセンサ等で既にプリントした２次元バーコードの位置を把握した後、既にプリントされた２次元バーコードを避けた位置に２次元バーコードをプリントするプリント処理系を備える。
【００３８】
（ハ）プリントヘッド２７として熱転写型を用いることが可能であり、記憶媒体Ｍに対して貼付するレーベルに対して２次元バーコードをプリントするためのプリントヘッド２７としては、昇華型のものを用いることも可能である。
【００３９】
（ニ）デジタルカメラで撮影が行われた場合にはＥｘｉｆ（Exchangeable Image File Format）形式で撮影日、撮影条件等の情報が保存されるものであるため、デジタルカメラの画像情報を保存したメディアから取得した画像を記憶媒体に書き込む場合には、そのメディアからＥｘｉｆ情報を抽出し、このＥｘｉｆ情報から２次元バーコードを生成して、その記憶媒体にプリントするよう処理形態を設定しても良い。このように２次元バーコードをプリントした場合には、２次元バーコードから画像情報の撮影日や撮影時のシャッター速度やストロボの使用の有無等の詳細な情報を取得することが可能となる。
【図面の簡単な説明】
【００４０】
【図１】プリント装置の全体を示す斜視図
【図２】ディスク処理装置の斜視図
【図３】ディスク処理装置でのプリント時の作動形態を示す断面図
【図４】処理装置の制御系を示すブロック回路図
【図５】情報の処理形態を示すブロック図
【図６】ディスク処理ルーチンのフローチャート
【図７】プリント処理後の記憶媒体の平面図
【符号の説明】
【００４１】
２７          プリントヘッド
３９          コード化部
４２          プリント処理部
Ｍ            記憶媒体
【図１】
2005234654.tif 000003
【図２】
2005234654.tif 000004
【図３】
2005234654.tif 000005
【図４】
2005234654.tif 000006
【図５】
2005234654.tif 000007
【図６】
2005234654.tif 000008
【図７】
2005234654.tif 000009